(57)【要約】      （修正有）【課題】万華鏡を持ち上げることなく、同時に複数人が両目で万華鏡の映像を見られるようにし、立体的なオブジェクトを使用できるようにする。【解決手段】通常の万華鏡の場合、二枚の鏡２を一辺で結合し、さらに第三面を加えて多面鏡の筒を構成するが、本発明では二枚の鏡を一辺で結合するものの、第三の面を加えて筒状にすることはせず、外に向かって開いたものとする。立体的なオブジェクト５を配置するための空間を確保するため、合わせ鏡構造に支持部４を設ける。設置場所にもよるが、万華鏡を床や机の上に置いて使用する場合、オブジェクトを配置した平面を斜め上から見下ろすように鑑賞する。二枚の鏡の底辺がともに位置する平面とオブジェクトの間に距離があるときれいな映像が構成されないため、その距離ができるだけ小さくなるようにして鑑賞する。【選択図】図１
2020187280.tif 000002
【特許請求の範囲】
【請求項１】
オブジェクト配置平面に立体構造を有するオブジェクトを配置するオープン型万華鏡であって、少なくとも二辺が直線であり、かつその二辺が隣り合っている第一の平面鏡と、少なくとも一辺が直線であるような第二の平面鏡を係合させ、前記第一の平面鏡の前記二辺のうち一辺が、前記第二の平面鏡の鏡面に近接し、前記第一の平面鏡の前記二辺のうちのもう一方の辺が、前記第二の平面鏡の該辺と同一平面上に位置するようにした合わせ鏡の構造と、その平面を第一平面と呼ぶとして、第一平面をオープン型万華鏡の設置面から離間させるために設けられた支持部からなることを特徴とするオープン型万華鏡。
【請求項２】
前記二枚の平面鏡が可変な機構によって係合されており、前記二枚の平面鏡の間の角度が調節可能であるような請求項１に記載のオープン型万華鏡。
【請求項３】
オブジェクト配置平面として、前記第一平面と上面が略平行であるような台、あるいは前記第一平面と略平行な方向にオブジェクトを手動であるいは自動的に変位させる機能を持った台を使用する、請求項１あるいは２に記載のオープン型万華鏡。
【請求項４】
オブジェクト配置平面と前記第一平面との間の距離あるいは角度を調節する手段を設けた、請求項１から３のいずれかに記載のオープン型万華鏡。
【請求項５】
請求項１から４のいずれかに記載されたオープン型万華鏡を、複数個円形に配置しかつ組み合わせた複合型オープン型万華鏡。
【請求項６】
請求項１から４のいずれかに記載されたオープン型万華鏡を、複数個直線状に配置しかつ組み合わせた複合型オープン型万華鏡。
【発明の詳細な説明】
【技術分野】
【０００１】
本発明は、筒を覗くことなく映像を見ることができる万華鏡に関するものである。
【背景技術】
【０００２】
現在知られている万華鏡は、２枚以上の鏡を組み合わせた多面鏡から構成される筒と、筒の先端部に封入、あるいは取り付けられた対象物（オブジェクト）から構成されたものが一般的である。利用者は、オブジェクトが取り付けられている側とは反対側に設けられた穴を覗くことで、オブジェクトが鏡に反射して構成される映像を鑑賞することができる。
【０００３】
また、本発明に考え方、形状が近い万華鏡あるいは装置として、下記特許文献１及び２の卓上万華鏡や下記特許文献３の「でざいなー装置」、下記特許文献４の「でざいんきゃっちゃー」が挙げられる。
【０００４】
これらの万華鏡あるいは装置は、長方形の二枚の鏡を可変な機構で結合し、合わせ鏡の構造にしたものを、平坦な面に置いて使用するというものである。模様を描いた紙等の上に置くと、通常の万華鏡と同様の原理で、対称的な幾何学模様を鑑賞することができる。
【先行技術文献】
【特許文献】
【０００５】
【特許文献１】実開平０５−００７２９８公報
【特許文献２】実全平０３−０５６９０８公報
【特許文献３】特公昭３７−０１５１７７公報
【特許文献４】実公昭３７−０２５７５５公報
【非特許文献】
【０００６】
【非特許文献１】山見浩司著 「万華鏡大全」 誠文堂新光社、２０１６年
【発明の概要】
【発明が解決しようとする課題】
【０００７】
従来の万華鏡には、例外はあるものの、複数人が同時に映像を見ることができない、両目で映像を見ることができない、採光のために筒を持ち上げて覗く必要がある、といった課題を指摘できる。
【０００８】
また、上記特許文献１及び２の卓上万華鏡や、上記特許文献３の「でざいなー装置」、上記特許文献４の「でざいんきゃっちゃー」については、上で挙げた、従来の万華鏡に関する課題は解決できるものの、その構造上、紙に描かれた模様など、薄い平面的なものに対して専ら使用するものであり、立体構造を持つオブジェクトに対しては使用しにくいという欠点があった。
【０００９】
薄い平面的なオブジェクトを専ら使用するという特徴から、ビーズやガラスの破片等を使用できる通常の筒状の万華鏡と比較して、構成される映像も単調で魅力が欠けるものになりがちだった。
【００１０】
以上の事柄を踏まえ、複数人が同時に両目で万華鏡の映像を見ることができるようにする、筒を持ち上げずに映像を見られるようにする、立体構造を持つオブジェクトを使用できるようにする、という３つの課題を同時に解決する万華鏡を提供することを目的とする。
【課題を解決するための手段】
【００１１】
オブジェクト配置平面に立体構造を有するオブジェクトを配置するオープン型万華鏡であって、少なくとも二辺が直線であり、かつその二辺が隣り合っている第一の平面鏡と、少なくとも一辺が直線であるような第二の平面鏡を係合させ、前記第一の平面鏡の前記二辺のうち一辺が、前記第二の平面鏡の鏡面に近接し、前記第一の平面鏡の前記二辺のうちのもう一方の辺が、前記第二の平面鏡の該辺と同一平面上に位置するように合わせ鏡を構成し、その前記平面を第一平面と呼ぶとき、第一平面をオープン型万華鏡の設置面から離間させるために前記合わせ鏡構造に支持部を設ける。
【００１２】
好ましくは、前記二枚の平面鏡を可変な機構によって係合させ、前記二枚の平面鏡の間の角度が調節可能であるようにする。
【００１３】
また好ましくは、オブジェクト配置平面として、前記第一平面と上面が略平行であるような台、あるいは前記第一平面と略平行な方向にオブジェクトを手動であるいは自動的に変位させる機能を持った台を使用する。
【００１４】
また好ましくは、オブジェクト配置平面と前記第一平面との間の距離あるいは角度を調節する手段を設ける。
【発明の効果】
【００１５】
本発明の万華鏡には、映像を複数人で両目で見ることができる、立体構造を有する映像を見ることができる、万華鏡を机に置いたまま見ることができる、少し離れたところからも映像を見ることができる、等の利点がある。オブジェクトとして様々な材質のものを使用できるため、多様な映像を鑑賞することができる。
【００１６】
メンテナンス面での利点としては、オブジェクトの交換が容易である、鏡の清掃や交換が容易である、等の点が挙げられる。少し離れたところからも映像を見ることができるため、インテリアとして活用することも期待できる。
【図面の簡単な説明】
【００１７】
【図１】図１はオープン型万華鏡の実施例１の説明図である。
【図２】図２はオープン型万華鏡の実施例１の説明図である。
【図３】図３はオープン型万華鏡の実施例２の説明図である。
【図４】図４はオープン型万華鏡の実施例２の説明図である。
【図５】図５はオープン型万華鏡の実施例３の説明図である。
【図６】図６はオープン型万華鏡の実施例４の説明図である。
【図７】図７はオープン型万華鏡の実施例４の説明図である。
【図８】図８はオープン型万華鏡の実施例５の説明図である。
【図９】図９はオープン型万華鏡の実施例５の説明図である。
【図１０】図１０はオープン型万華鏡の実施例６の説明図である。
【図１１】図１１はオープン型万華鏡の実施例７の説明図である。
【図１２】図１２はオープン型万華鏡の実施例８の説明図である。
【図１３】図１３はオープン型万華鏡の実施例８の説明図である。
【図１４】図１４はオープン型万華鏡の実施例９の説明図である。
【発明を実施するための形態】
【００１８】
以下では、実施例１から実施例９を挙げ、図１から図１４を用いて、発明を実施するための形態を説明していく。いずれの図においても、機能が同一である部分は同じ符号で示している。
【実施例１】
【００１９】
図１は実施例１の斜視図、図２は実施例１で映像がどのように見えるかを示す斜視図である。図１及び図２においては、鏡２をそれぞれ表面に取り付けられた二枚の板３が、背面に設けられた支持部４を介して可変な機構で結合され、合わせ鏡の構造となっている。
【００２０】
２枚の鏡２は、一角が直角になっており、直角を構成する一辺で互いに近接している。直角を構成するもう一方の辺を底辺と呼ぶとすると、二枚の鏡２の底辺は同一平面上に位置しており、その平面は水平になっている。この平面を平面Ａと呼ぶことにする。鏡２が取り付けられている側を前面として、前面と背面に支持部４が設けられている。
【００２１】
支持部４を設けているのは、二枚の鏡２の底辺が位置する平面Ａの下に立体構造を有するオブジェクト５を配置する空間を確保するためであり、支持部４を設ける点が上記特許文献１や２の卓上万華鏡や上記特許文献３や４の装置と異なる点である。
【００２２】
オブジェクト５は上面が水平な台６に載せられている。ただし、台６は必須ではなく、二枚の鏡２の底辺の高さをもっと低くし、オブジェクト５を万華鏡１の設置面に置いて使用してもよい。支持部４の下についているのはアジャスター７であり、二枚の鏡２の底辺が位置する平面Ａの高さを変えることができる。
【００２３】
二枚の板３の結合のための機構としては蝶番やヒンジなどを想定しており、二枚の鏡２の間の角度は０度から９０度の間で変化させることができる。二枚の鏡２はそれぞれ板３に取り付けているが、もしも鏡２のみで十分な強度を確保できる場合には、二枚の板３は必要なく、鏡２に直接に支持部４を設けるようにしてもよい。
【００２４】
従来の万華鏡は、多面鏡からなる筒で構成され、鏡面は筒の内部にあり、筒を覗かない限り鏡面を見ることはできないが、オープン型万華鏡においては、図１及び図２のように、二枚の鏡２の鏡面とその近接部が露出しているのが特徴である。
【００２５】
図２のように、オープン型の万華鏡１は、筒を覗くのではなく、オブジェクト５の配置された平面に対して斜め上から見下ろすように映像を眺めるのが特徴である。この見方の場合、二枚の鏡２の底辺が位置する平面Ａとオブジェクト５の間に距離があると、きれいな幾何学模様が構成されないという特徴がある。
【００２６】
きれいな映像を構成するためには、二枚の鏡２の底辺が位置する平面Ａにオブジェクト５ができるだけ接するように配置する必要がある。そのため、図１及び図２では、高さが揃った板状のオブジェクト５を使用し、二枚の鏡２の底辺が位置する平面Ａに接するように配置している。
【００２７】
映像の見え方としては、図２のように、幾何学模様としては平面的だが、板の高さがある分立体的に見える。また、二枚の鏡２の近接部は、できるだけ隙間がないようにしたほうがきれいな映像が構成される。
【００２８】
使用できるオブジェクト５の例としては、高さが揃った板状のもの、同じ太さの紐状のもの、紙状のもの等が挙げられる。これらは、高さが揃っているため、二枚の鏡２の底辺が位置する平面Ａに接するように配置しやすい。ただし、すべてのオブジェクトの高さを揃えなければいけないというわけではなく、大きめのオブジェクトの高さが揃っていれば、その他に高さがそろっていないオブジェクトがあったとしても、あまり違和感なく鑑賞できる。
【００２９】
上記特許文献１や２の卓上万華鏡や上記特許文献３や４の装置では、オブジェクトは薄い平面的なものを専ら使用しなければならず、映像も単調になりがちだった。本発明のオープン型万華鏡では、高さを揃える必要はあるものの、様々な材質のオブジェクトを使用でき、多様な映像を鑑賞できる。例えば、ステンドグラスの板ガラス、彫刻を施した木の板、プラスチックの板、金属のワイヤー等、この他様々なものを使用でき、筒状の万華鏡にも劣らない種類の映像を鑑賞することができる。
【００３０】
さまざまな高さのオブジェクトに対応できるほうがより鑑賞の幅が広くなるため、図１及び図２では、支持部４にアジャスター７を設けて、二枚の鏡２の底辺が位置する平面Ａとオブジェクト５を置く台６の間の距離を調節できるようにしている。調節のための機構は特にアジャスターである必要はなく、スライド式など、様々なパターンが考えられる。支持部４にアジャスターをつけない場合は、台６に高さ調節機能を持たせるということも考えられる。
【００３１】
また、図１及び図２では、オープン型万華鏡１を水平な場所に置き、二枚の鏡２の底辺が位置する平面Ａと台６の上面が水平としているが、使いやすさのためであり、必須条件ではない。二枚の鏡２の底辺が位置する平面Ａと、台６の上面が略平行になっていれば、勾配のあるところや垂直な壁などに設置しても問題ない。例えば、オブジェクト５を台６に貼り付ければ、支持部４と台６を垂直な壁に取り付けて使用することもできる。
【００３２】
図１及び図２のように二枚の鏡２の底辺が位置する平面Ａが水平の場合、オブジェクト５を置く台６として、オブジェクト５を水平方向に変位させる機能をもった台、例えば電動式ターンテーブルなどを用いることもできる。その場合、映像が自動的に変化するため、より鑑賞の幅が広がる。映像を外部から見られるため、インテリアとしても活用が期待できる。
【００３３】
オブジェクト５を変位させながら鑑賞する場合、二枚の鏡２の底辺が位置する平面Ａとオブジェクト５の間の距離を０．５ミリメートル程度にすると、オブジェクト５の変位が妨げられず、かつきれいな映像を鑑賞することができる。
【００３４】
二枚の鏡２の間の角度は０度から９０度の間で変化させることができるため、様々なポイント数の映像を鑑賞することができる。ただし、ポイント数とは二枚の鏡で構成された万華鏡に対して使われる用語で、構成された映像が何個の突起を持つかを表す。例えば二枚の鏡の間の角度が３０度の場合、構成される映像は６つの突起部を持ち、６ポイントの映像と言われる。
【００３５】
二枚の鏡２の間の角度を小さくしていくと、すなわち二枚の鏡２の間が狭くなるため、だんだん映像は見づらくなっていく。鏡の大きさにもよるが、実用的には、３ポイント（二枚の鏡２の間の角度は６０度）から６ポイント（二枚の鏡２の間の角度は３０度）までが見やすく鑑賞できるポイント数になると思われる。
【００３６】
図１及び図２において、映像を見る際に目を近づけても安全なように、二枚の鏡２及び板３の上部はなだらかな曲線としているが、必須条件ではなく、形状は自由である。上部の角を直角とし、屏風状の形状にしても、明るさが変わるものの映像の見え方に大きな変化はない。
【実施例２】
【００３７】
図３は実施例２を前から見た斜視図、図４は実施例２を裏側から見た斜視図である。図３の手前側の板３には、２本の支持部４が設けられており、上部の出っ張った部分を支えとして奥側の板３に寄りかかるようにして立脚している。図３の奥側の板３は、図４から分かるように、３本の支持部４で立脚している。
【００３８】
図３の手前側の鏡２は、奥の角が直角になっており、直角を構成する縦方向の一辺で奥側の鏡２と接している。奥側の鏡２は、手前側の鏡２と接した辺を超え、背面にまで鏡面が続いている。二枚の鏡２の底辺は、同一平面上にある。説明のため、この平面を平面Ａとする。
【００３９】
実施例２から分かるのは、構造によっては、鏡２を取り付けた二枚の板３は蝶番等の機構で結合されている必要はなく、分離するようにできるということである。支持部４は、二枚の鏡２の底辺が位置する平面Ａの下にオブジェクト５を配置する空間を確保するという条件を満たしさえすればよく、形状や位置は様々なパターンが考えられる。
【００４０】
また、実施例１のように一角が直角になった鏡を二枚用意する必要はなく、一角が直角になった鏡と一辺が直線である鏡でも十分であることが分かる。
【実施例３】
【００４１】
図５は実施例３の斜視図である。実施例３は、合わせ鏡の構造の下に円形の支持部４を配置したものである。この例では、合わせ鏡の構造を円形の支持部４に置いただけで、鏡２を取り付けた板３と円形の支持部４は結合していないと想定している。このケースから、鏡２を取り付けた板３と支持部４は必ずしも結合している必要はないことが分かる。
【実施例４】
【００４２】
図６は実施例４の斜視図、図７は実施例４で映像がどのように見えるかを示したものである。実施例１及び３では、一角が直角であるような二枚の鏡を、直角を構成する一辺で近接させ合わせ鏡にしたが、実施例４では、一角が１１０度であるような二枚の鏡２を使い、その角を構成する一辺で互いに近接させ、合わせ鏡にしている。二枚の鏡２の間の角度は６０度としている。二枚の鏡２の底辺は、同一平面上にある。説明のため、この平面を平面Ａとする。
【００４３】
図７のように、映像としては、中心部が盛り上がったような映像が構成される。二枚の鏡２の間の角度を４５度、３０度と狭くしていくと、より中心部が尖り、円錐状に細くなっていく。このケースの場合も、二枚の鏡２の底辺が位置する平面Ａにオブジェクト５が接するように配置しないときれいな映像が構成されないのは、実施例１から３と同様である。
【００４４】
二枚の鏡２の間の角度は調整可能な機構にしてよいが、一角が９０度の鏡を用いる場合と違い、二枚の鏡２の間の角度を変えると、二枚の鏡２の底辺が位置する平面Ａと地面の間の角度も変わってしまう。そのため、角度を変える場合、オブジェクト５を置く台６の上面と二枚の鏡２の底辺が位置する平面Ａが略平行になるよう、アジャスター７を使って調整する必要がある。その際、アジャスターの形状も図６のように球形のものを用いる方が使いやすいと思われる。
【００４５】
実施例４では一角が１１０度の鏡を用いたが、１２０度、１３０度というように、さらに広い角度の二枚の鏡で合わせ鏡を作ることもできる。その場合、図６でも二枚の鏡２が合わさる軸は後ろに傾いているが、さらに後ろに傾いていくことになる。構成される映像は、より中心部が盛り上がり、円錐状になっていく。実用上はともかく、一角の大きさが１８０度より小さい角度の鏡であれば使用することはできる。
【００４６】
実施例２では一角が９０度である鏡と一辺が直線である鏡を使って合わせ鏡を作ったが、実施例４に関しても同様のことは可能であり、９０度より大きく１８０度より小さい一角をもつ鏡と一辺が直線であるような鏡だけでも同様の機能を持つ万華鏡を作ることができる。
【実施例５】
【００４７】
図８は実施例５の斜視図、図９は実施例５で映像がどのように見えるかを示したものである。実施例５は、一角が７０度であるような二枚の鏡２を、その角を構成する一辺で互いに近接させ、合わせ鏡にしたケースである。二枚の鏡２の間の角度は６０度にしている。二枚の鏡２の底辺は、同一平面上にある。説明のため、この平面を平面Ａとする。
【００４８】
この場合、構成される映像は、図９のように中心部がへこんだ映像が構成される。二枚の鏡２の間の角度を４５度、３０度と狭くしていくと、より中心部がへこみ、下の方に尖っていく。
【００４９】
実施例５の場合も、実施例４と同様に、二枚の鏡２の間の角度を変えると、二枚の鏡２の底辺が位置する平面Ａと地面の間の角度が変わるため、オブジェクト５を置く台６の上面と平面Ａが平行になるよう、アジャスター７を使って調整する必要がある。
【００５０】
実施例５では一角が７０度の鏡を用いたが、６０度、３０度というように、さらに狭い角度の二枚の鏡を使って合わせ鏡を作ることもできる。その場合、図８では二枚の鏡２が合わさる軸は前方に傾いているが、さらに前方に傾いていくことになる。構成される映像は、より中心部がへこんで、下に尖っていく。実用上はともかく、一角の大きさが０度より大きい角度の鏡であれば使用することはできる。
【００５１】
実施例２や実施例４で触れたように、このケースも、０度より大きく９０度より小さい一角をもつ鏡と、一辺が直線であるような鏡を使って、同様の効果を持つ合わせ鏡を作ることは可能である。
【実施例６】
【００５２】
図１０は実施例６の映像の見え方を示した斜視図である。実施例６は、一角が９０度の鏡と一角が１０５度の鏡を使って、その角を構成する一辺で互いに近接させ、合わせ鏡を作ったケースである。図１０では、左側の鏡２の奥の方の角が９０度、右側の鏡２の奥の方の角が１０５度である。二枚の鏡２の間の角度は４５度としている。二枚の鏡２の底辺は、同一平面上にある。説明のため、この平面を平面Ａとする。
【００５３】
二枚の鏡２の底辺が位置する平面Ａを水平にしているため、合わせ鏡全体が左に傾いている。構成される映像は、角度の差を反映してでこぼこになる。しかし、対称的な映像にはなるので、万華鏡として成立すると言ってよい。
【００５４】
二枚の鏡２の該角の差が大きいほど、映像もでこぼこの落差が激しくなる。また、合わせ鏡全体の傾きも大きくなる。実用上の意味はないと思われるが、極端な例として、一角が１度の鏡と一角が１７９度の鏡を使用することもできる。また、この例についても、０度より大きく１８０度より小さい一角をもつ鏡と一辺が直線の鏡があれば同様の効果を持つ万華鏡を作ることができる。
【実施例７】
【００５５】
図１１は実施例７の斜視図である。実施例７は、オブジェクト５を載せる台６が支持部４と一体化したケースである。図１１では、一角が９０度である二枚の鏡２を使って、９０度を構成する一辺で互いに近接するように合わせ鏡を作っている。二枚の鏡２の底辺は同一平面上にある。説明のため、この平面を平面Ａとする。
【００５６】
背面に設けられた支持部４は床面付近で円柱状になっており、オブジェクト５を載せる台６を貫通している。台６は完全に固定されておらず回転可能であるため、手で回すことでなめらかに映像を変化させることができる。この形状の場合も、回転部分にモーターを設置することで、自動的に映像が変化するようにできる。
【００５７】
この形状の場合は、様々な高さのオブジェクトに対応できるようにするため、二枚の鏡２の底辺が位置する平面Ａとオブジェクト５を置く台６の上面との間の距離を調節する機構がある方が望ましい。
【００５８】
また、実施例４や実施例５のように、一角が鋭角又は鈍角であるような二枚の鏡を使って合わせ鏡を構成することもできるが、この場合は、二枚の鏡の間の角度を変えると二枚の鏡の底辺が位置する平面Ａとオブジェクトを置く台の間の角度も変わるため、オブジェクトを置く台の平面Ａに対する角度を調整する機構も必要になる。
【００５９】
図１１においては、オブジェクト５を載せる台６は背面の支持部４に設けられているが、他の部分にそのような機構を設けてもよく、例えば鏡２を取り付けた板３の裏側や、前面側の支持部４に台６を支えるような部分を作ってもよい。
【実施例８】
【００６０】
図１２は実施例８の前面からの斜視図、図１３は実施例８の背面からの斜視図である。実施例８は、二枚の鏡２を用いて作ったオープン型万華鏡を３つ円形に配置し組み合わせたものである。各合わせ鏡は、一角が直角であるような二枚の鏡２を、直角を構成する一辺で互いに近接させて作られている。
【００６１】
各合わせ鏡において、二枚の鏡２の間の角度は、固定具９によって固定しているが、固定具９は着脱可能であり、二枚の鏡２の間の角度は調節可能である。固定具９を設けたのは、角度を固定する機構がない場合、角度調節や高さ調節する際、一方の合わせ鏡の角度や高さを調節している間に他方が動くなど、使い勝手が悪いと想定されるためである。
【００６２】
実施例８のような構成にすると、多角度から映像を見やすくなり、インテリアとしての効果が大きくなる。また、各ユニットで二枚の鏡２の間の角度が異なるため、３種類のポイント数の映像を見ることができる。
【００６３】
実施例８では二枚の鏡からなるオープン型万華鏡を３つ円形に配置し組み合わせたが、数をさらに増やして円形に配置し組み合わせた場合、図１３のような背面の支持部４は必要なくなる場合が生じる。
【実施例９】
【００６４】
図１４は実施例９を前面から見た斜視図である。実施例９は、実施例８と類似の発想だが、二枚の鏡からなるオープン型万華鏡を３つ直線状に配置・結合し、屏風状の見た目にしたものである。背面の３つの支持部４は分離しているため、折りたたむことが可能である。このタイプも、通路に面したショーケースなどでのインテリアとして活用することが期待できる。
【産業上の利用可能性】
【００６５】
本発明のオープン型万華鏡は、構成される映像を両目で見ることができ、オブジェクトの配置、交換も容易なため、子供や高齢者にも使いやすい万華鏡だと言える。オブジェクトの位置を変えることで映像がどのように変化するかを観察でき、教育的な玩具としても有効である。従来の万華鏡のように筒を覗くことなく映像を見られるため、商店等でのインテリアとしても利用することを期待できる。
【符号の説明】
【００６６】
１    オープン型万華鏡（あるいは複合型オープン型万華鏡）
２    鏡
３    鏡を取り付ける板
４    支持部
５    オブジェクト
６    オブジェクトを載せる台
７    アジャスター
８    結合部
９    固定具
【図１】
2020187280.tif 000003
【図２】
2020187280.tif 000004
【図３】
2020187280.tif 000005
【図４】
2020187280.tif 000006
【図５】
2020187280.tif 000007
【図６】
2020187280.tif 000008
【図７】
2020187280.tif 000009
【図８】
2020187280.tif 000010
【図９】
2020187280.tif 000011
【図１０】
2020187280.tif 000012
【図１１】
2020187280.tif 000013
【図１２】
2020187280.tif 000014
【図１３】
2020187280.tif 000015
【図１４】
2020187280.tif 000016